(57)【要約】【課題】起床時に、照明手段を点灯し、表示部３に画像を表示したとき、眩しさを軽減すること。【解決手段】照明手段の点灯後、表示部３の明るさを漸増するように制御する表示装置１であって、照明手段の点灯後、所定の輝度に到達するまでの時間の長さが異なる２つの設定によって、表示部３の明るさを漸増する輝度制御部６を備える。そして、照明手段の点灯をタイマオンによって行うタイマ部５を更に備え、輝度制御部６は、タイマオンによる照明手段の点灯の場合、２つの設定のうち所定の輝度に到達するまでの時間が長い方の設定によって表示部３の明るさを漸増する。【選択図】図２
2007225650.tif 000002
【特許請求の範囲】
【請求項１】
照明手段の点灯後、表示部の明るさを漸増するように制御する表示装置であって、
前記表示部の明るさを漸増する輝度制御部を備え、前記輝度制御部は前記照明手段の点灯後、所定の輝度に到達するまでの時間の長さが異なる２つの設定を有することを特徴とする表示装置。
【請求項２】
請求項１に記載の表示装置であって、
前記照明手段の点灯をタイマオンによって行うタイマ部を更に備え、
前記輝度制御部は、前記タイマ部による前記照明手段の点灯時には、前記２つの設定のうち前記所定の輝度に到達するまでの時間が長い方の設定によって前記表示部の明るさを漸増させることを特徴とする表示装置。
【請求項３】
請求項２に記載の表示装置であって、
前記タイマ部は、前記照明手段の消灯から前記タイマオンまでの経過時間を計測するオフ時間計測部を更に備え、
前記輝度制御部は、前記経過時間が所定の時間以上であった場合、前記２つの設定のうち前記所定の輝度に到達するまでの時間が長い方の設定によって前記表示部の明るさを漸増させることを特徴とする表示装置。
【請求項４】
請求項３に記載の表示装置であって、
実時刻を取得する時刻取得部を更に備え、
前記輝度制御部は、前記経過時間が所定の時間以上であった場合、前記時刻取得部が取得した実時刻が所定の時刻範囲内であるときは、前記２つの設定のうち前記所定の輝度に到達するまでの時間が長い方の設定によって前記表示部の明るさを漸増させることを特徴とする表示装置。
【請求項５】
請求項１ないし請求項４のいずれか一項に記載の表示装置であって、
前記表示装置の周囲照度を検出する周囲照度検出部を更に備え、
前記輝度制御部は、検出された前記周囲照度の値に応じて前記２つの設定のうち少なくとも前記所定の輝度に到達するまでの時間が長い方の設定を変更し、当該変更された設定によって前記表示部の明るさを漸増させることを特徴とする表示装置。
【請求項６】
請求項５に記載の表示装置であって、
前記輝度制御部は、検出された前記周囲照度の値の変化割合に応じて前記２つの設定のうち少なくとも前記所定の輝度に到達するまでの時間が長い方の設定を変更し、当該変更された設定によって前記表示部の明るさを漸増させることを特徴とする表示装置。
【請求項７】
照明手段の点灯後、表示部の明るさを漸増するように制御する表示方法であって、
前記照明手段の点灯後、所定の輝度に到達するまでの時間の長さが異なる２つの設定のどちらか一方に基づき前記表示部の明るさを漸増させる輝度制御工程を備えたことを特徴とする表示方法。
【請求項８】
請求項７に記載の表示方法であって、
前記照明手段の点灯をタイマオンによって行う工程を更に備え、
前記輝度制御工程は、前記タイマオンによる前記照明手段の点灯の場合、前記２つの設定のうち前記所定の輝度に到達するまでの時間が長い方の設定によって前記表示部の明るさを漸増させることを特徴とする表示方法。
【請求項９】
請求項７または請求項８に記載の表示方法であって、
表示装置の周囲照度を検出する周囲照度検出工程を更に備え、
前記輝度制御工程は、検出された前記周囲照度の値に応じて前記２つの設定のうち少なくとも前記所定の輝度に到達するまでの時間が長い方の設定を変更し、当該変更された設定に基づき前記表示部の明るさを漸増させることを特徴とする表示方法。
【発明の詳細な説明】
【技術分野】
【０００１】
本発明は、照明手段の点灯後、表示部の明るさを漸増するように制御する表示装置および表示方法に関する。
【背景技術】
【０００２】
従来、表示装置では、周囲の照明環境の変化に応じて、表示される文字や図形が見やすくなるように、受光量検出装置を備え、検出した周囲の明るさに応じて、輝度を所定の演算式により決定し、自動的に輝度を設定する表示装置が提案されている（例えば、特許文献１）。あるいは、住宅照明器具の照明装置では、夜間に室内の照明を点灯した場合に、急激な明るさの上昇による眩しさを防止するため、徐々に明るくする照明装置が提案されている（例えば、特許文献２）。
【０００３】
【特許文献１】特許第２７５２３０９号公報
【特許文献２】特開平６−１７６８７５号公報
【発明の開示】
【発明が解決しようとする課題】
【０００４】
一般に人間は暗いところから急に一定の輝度を持った明るいところに出ると、明順応特性を示す。つまり、始めは眩しいくらいの大きな輝度の明るさを知覚し、時間の経過とともに知覚する輝度が減少し、ある程度の時間が経過すると、もともとの輝度である一定の輝度の明るさを知覚するという過渡応答を示すことが知られている。
【０００５】
ところで、一般に、人間が睡眠している時は、まぶたを閉じていることが多く、睡眠中は周囲の照度より暗く感じることになる。また、睡眠中であることによって、人間は照度を感じる状態ではないと想定されることから、睡眠から目を覚ますという起床状態において、人間の眼が感じる照度は、実際の周囲照度よりも更に暗く感じる状態にあると考えてよい。
【０００６】
つまり、始めに人間が感じる眩しさは、暗いところの輝度と明るいところの輝度との差によって異なると想定してよい。従って、同じ明るさを持った輝度でも、起床時において感ずる眩しさと、既に起きて目覚めている覚醒時に感ずる眩しさとは異なり、起床時の方がより眩しく感じることになる。
【０００７】
しかしながら、特許文献１及び特許文献２では、使用者が所定の周囲照度の環境下にいることを前提とした調光方法であり、睡眠から目を覚ますという起床状態について考慮したものではない。
【０００８】
従って、特許文献１及び特許文献２に開示された明るさの調整方法では、起床時の眩しさを軽減することが難しいという課題がある。
【０００９】
本発明は、上述する問題点を鑑みてなされたもので、起床時に照明手段を点灯したときの眩しさを軽減した表示装置および表示方法を提供することを目的とする。
【課題を解決するための手段】
【００１０】
上記目的を達成する本発明の表示装置は、照明手段の点灯後、表示部の明るさを漸増するように制御する表示装置であって、前記表示部の明るさを漸増する輝度制御部を備え、前記輝度制御部は前記照明手段の点灯後、所定の輝度に到達するまでの時間の長さが異なる２つの設定を有することを要旨とする。
【００１１】
この構成によれば、起床時の所定の輝度に到達するまでの時間と覚醒時の所定の輝度に到達するまでの時間を使い分けることにより、起床時の順応時間と覚醒時の順応時間に応じて表示部の明るさを漸増することができ、起床時に照明手段を点灯したときの眩しさを軽減することができる。
【００１２】
また、本発明の表示装置は、前記照明手段の点灯をタイマオンによって行うタイマ部を更に備え、前記輝度制御部は、前記タイマ部による前記照明手段の点灯時には、前記２つの設定のうち前記所定の輝度に到達するまでの時間が長い方の設定によって前記表示部の明るさを漸増してもよい。
【００１３】
表示装置の使用者は、通常、タイマオンによって起床することが多い。そこで、この構成によれば、照明手段の点灯をタイマオンした時点を起床時であると想定することができる。従って、照明手段の点灯をタイマオンによって行われたか否かを判定することにより、照明手段を点灯した時点が起床時であるか否かを判定できる。そこで、照明手段を点灯した時点が起床時であると判定したときには、ゆっくり輝度を上昇させ、使用者が起床時に照明手段を点灯したときに感じる眩しさを軽減できる。
【００１４】
ここで、前記タイマ部は、前記照明手段の消灯から前記タイマオンまでの経過時間を計測するオフ時間計測部を更に備え、前記輝度制御部は、前記経過時間が所定の時間以上であった場合、前記２つの設定のうち前記所定の輝度に到達するまでの時間が長い方の設定によって前記表示部の明るさを漸増してもよい。
【００１５】
こうすれば、経過時間が所定の時間以上であった場合は、経過時間は使用者が眠っている睡眠時間と想定できるので、タイマオンした時点が使用者の起床時であるか否かを判定する確率が向上し、使用者が起床時に照明手段を点灯したときに感じる眩しさを軽減できる。
【００１６】
また、本発明の表示装置は、実時刻を取得する時刻取得部を更に備え、前記輝度制御部は、前記経過時間が所定の時間以上であった場合、前記時刻取得部が取得した実時刻が所定の時刻範囲内であるときは、前記２つの設定のうち前記所定の輝度に到達するまでの時間が長い方の設定によって前記表示部の明るさを漸増してもよい。
【００１７】
この構成によれば、実時刻が所定の時刻範囲内であった場合は使用者の起床時と想定できるので、照明手段を点灯した時点が使用者の起床時であるか否かを判定する確率が更に向上し、使用者が起床時に感じる眩しさを軽減できる。
【００１８】
また、本発明の表示装置は、前記表示装置の周囲照度を検出する周囲照度検出部を更に備え、前記輝度制御部は、検出された前記周囲照度の値に応じて前記２つの設定のうち少なくとも前記所定の輝度に到達するまでの時間が長い方の設定を変更し、当該変更された設定によって前記表示部の明るさを漸増してもよい。
【００１９】
一般的に、同じ時刻であっても、周囲照度は異なることが多い。例えば、季節の違い、天候の違い、あるいは部屋のカーテンの引き具合により、起床時の周囲環境の照度が異なる場合がある。そこで、周囲の照度を測定することで、周囲環境の照度によって表示部の明るさの感じ方が異なる人間の眼の特性に応じて、表示部の明るさを漸増できるので、使用者が起床時に感じる眩しさを軽減できる。
【００２０】
また、ここで、前記輝度制御部は、検出された前記周囲照度の値の変化割合に応じて前記２つの設定のうち少なくとも前記所定の輝度に到達するまでの時間が長い方の設定を変更し、当該変更された設定によって前記表示部の明るさを漸増してもよい。
【００２１】
こうすれば、起床時の周囲の照度の値の変化に対する人間の眼の特性に応じて、表示部の明るさを漸増するので、起床時に照明手段を点灯したときの眩しさが軽減される。例えば、起床時に、すぐに部屋の照明を明るくした場合、あるいは、部屋の照明を暗くした場合に、周囲の照度の値の変化に対する人間の眼の特性に応じて、表示部の明るさを漸増することができる。
【００２２】
また、本発明を表示方法と捉えることもできる。すなわち、照明手段の点灯後、表示部の明るさを漸増するように制御する表示方法であって、前記照明手段の点灯後、所定の輝度に到達するまでの時間の長さが異なる２つの設定のどちらか一方に基づき、前記表示部の明るさを漸増させる輝度制御工程を備えたことを要旨とする。
【００２３】
また、本発明の表示方法は、前記照明手段の点灯をタイマオンによって行う工程を更に備え、前記輝度制御工程は、前記タイマオンによる前記照明手段の点灯の場合、前記２つの設定のうち前記所定の輝度に到達するまでの時間が長い方の設定によって前記表示部の明るさを漸増してもよい。
【００２４】
また、本発明の表示方法として、表示装置の周囲照度を検出する周囲照度検出工程を更に備え、前記輝度制御工程は、検出された前記周囲照度の値に応じて前記２つの設定のうち少なくとも前記所定の輝度に到達するまでの時間が長い方の設定を変更し、当該変更された設定に基づき前記表示部の明るさを漸増してもよい。
【発明を実施するための最良の形態】
【００２５】
以下、本発明を具体化した実施例について図を用いて説明する。尚、第１の実施例は、タイマオンによって起床時を判定し、表示部の明るさを漸増する場合、第２の実施例は、タイマオンされた実時刻によって起床時を判定し、表示部の明るさを漸増する場合、第３の実施例は、表示装置の周囲照度を検出し、所定の輝度に到達するまでの時間の設定を変更させて表示部の明るさを漸増する場合についての実施例を示す。
【００２６】
（第１の実施例）
タイマオンによって起床時を判定し、表示部の明るさを漸増する場合について、第１の実施例に基づいて説明する。図１は本発明の第１の実施例の表示装置の外観斜視図である。図１に示すように、表示装置１は、筐体２、表示部３、スイッチ４、タイマ部（図示せず）、操作つまみ５ａ及び回路ブロック（図示せず）により概略構成されている。
【００２７】
筐体２には、表示部３、スイッチ４および操作つまみ５ａが取り付けられている。表示部３は、透過型液晶パネルで構成され、背面には照明手段（図示せず）が配置されている。
回路ブロックは所定の電子回路から構成され、筐体２の内部に設置されている。スイッチ４は、照明手段を点灯するか消灯するかを切り替えるためのつまみである。操作つまみ５ａは、照明手段を点灯するまでの時間を設定するためのつまみで、図２で説明するタイマ部５の操作つまみとして機能し、表示装置１の使用者が視認できる位置に表示されるデジタル表示（図示せず）を見ながら、前記の照明手段を点灯するまでの時間を操作により設定できるようになっている。
【００２８】
図２は、本発明の第１の実施例の機能ブロック図を示す。図２に記載した符合は、図１に記載した符合に対応している。輝度制御部６、光源制御部７としての機能は回路ブロックが行う。光源８は、蛍光ランプ、発光ダイオードまたは白熱電球から構成され、表示部３の背面に取り付けられて照明手段として機能する。
【００２９】
次に、図２を用いて構成された各機能ブロックの動作を説明する。表示装置１の使用者は、操作つまみ５ａを手動操作し、デジタル表示を見ながら、光源８を点灯するまでの時間を設定する。ここで、光源８を点灯するまでの時間を点灯予定時間とする。タイマ部５は、減算タイマの機能があり、点灯予定時間が０になった時点でタイマオンになり、輝度制御部６に点灯指示情報を出力する。輝度制御部６は、点灯指示情報を得て、輝度制御情報を光源制御部７へ出力する。光源制御部７は、輝度制御情報を得て、光源８の明るさを制御する。光源８の明るさの制御方法は、例えば、蛍光ランプまたは発光ダイオードであればパルス幅、パルス数の変更（インバーター制御）によって明るさの制御を行い、白熱電球であれば電流の増減によって明るさを制御する。光源８が、表示部３の背面から制御された光を照射することにより、表示部３の画像の輝度を制御する。表示部３は、文字・図形・映像などからなる静止画または動画など使用者が観賞する画像などを表示する。もちろんタイマ部５は図示しないリモコンにより操作されてもよい。
【００３０】
次に、表示部３の明るさの漸増において、起床時と覚醒時で異なる漸増を行うことについて説明する。図３は、照明手段としての光源８が点灯を開始してからの経過時間と表示部３の画像の輝度の関係を示している。図示したように、所定の輝度に到達するまでの時間の設定の長短によって表示部の画像の輝度を制御する。尚、実施例では、説明の簡略化のため、経過時間と輝度の関係は直線状に表した。
【００３１】
図３の直線ａでは、表示部３の画面の輝度０から立ち上がり、所定の輝度Ｌ１に到達した時点が時間ｔ１であることを示している。図３の直線ｂでは、表示部３の画面の輝度０から立ち上がり、所定の輝度Ｌ１に到達した時点が時間ｔ２であることを示している。
【００３２】
輝度制御部６は、タイマ部５のタイマオンによって、タイマ部５から点灯指示情報を得た場合は、起床時であると判定し、光源制御部７は輝度制御部６からの輝度制御情報を基に、表示部３の画面の輝度を図３の直線ｂになるように、光源８の明るさを制御する。スイッチ４によって光源８を点灯するとき、輝度制御部６は、タイマ部５からの点灯指示情報がない場合は、覚醒時であると判定し、輝度制御情報を光源制御部７に出力し、光源制御部７は、表示部３の画面の輝度を図３の直線ａになるように、光源８の明るさを制御する。
【００３３】
輝度制御部６が起床時であると判定した場合は、光源制御部７は輝度制御部６からの輝度制御情報を基に、光源８の明るさを制御し、本実施例では所定の輝度に到達するまでの時間が図３の時間ｔ２になるように、表示部３の画面の輝度を漸増する。輝度制御部６が覚醒時であると判定した場合は、光源制御部７は輝度制御部６からの輝度制御情報を基に光源８の明るさを制御し、所定の輝度に到達するまでの時間が図３の時間ｔ１になるように表示部３の画面の輝度を漸増する。
【００３４】
こうすれば、表示部３の明るさの漸増を行う際に、起床時と覚醒時の順応時間に応じた輝度の上昇が可能となり、光源８を点灯したときが起床時であれば、長い方の時間の設定により、ゆっくりと表示部の画面の輝度を上昇させることで、眩しさを軽減し、覚醒時であれば、短い方の時間の設定により、覚醒時の順応時間に適した速さで表示部３の画面の輝度を上昇させることで視認性を確保できる。
【００３５】
（第２の実施例）
次に、タイマオンされた実時刻によって起床時を判定し、表示部の明るさを漸増する場合について、第２の実施例に基づいて説明する。図５は第２の実施例の機能ブロック図である。
【００３６】
図５は、図２に示した機能ブロック構成に、更に、時刻取得部９を追加し備えた機能ブロック図である。時刻取得部９は筐体２の内部に設置されている。日本標準時等に基づく実時刻の取得方法は、時刻取得部９の内蔵時計（図示せず）から実時刻を取得する。あるいは、表示装置１にインターネットなどネットワーク接続が可能な接続部（図示せず）を設け、ネットワークから実時刻を取得する方法や、送信所から電波で送信された時間情報を取得する機器を時刻取得部９に内蔵して実時刻を取得してもよい。
【００３７】
輝度制御部６がタイマオンによってタイマ部５から点灯指示情報を得た時点の実時刻が、所定の時刻範囲内であれば、起床時であると判定し、光源制御部７は輝度制御部６からの輝度制御情報を基に、表示部３の画面の輝度を図３の時間ｔ２になるように、光源８の明るさを制御する。輝度制御部６がタイマオンによってタイマ部５から点灯指示情報を得た時点の実時刻が、所定の時刻範囲外であれば、覚醒時であると判定し、光源制御部７は輝度制御部６からの輝度制御情報を基に、光源８の明るさを制御し、図３の時間ｔ１になるように、表示部３の画面の輝度を漸増する。
【００３８】
例えば、所定の時刻範囲を、一般的に起床時間と推定される午前４時から午前９時までとした場合に、例えば午前７時にタイマオンされた場合は、所定の時刻範囲内であるので、輝度制御部６は、起床時であると判定し、光源制御部７は、輝度制御部６からの輝度制御情報を基に、光源８の明るさを制御し、図３の時間ｔ２になるように、表示部３の画面の輝度を漸増する。
【００３９】
こうすれば、光源８を点灯したときが、起床時であったか否かの判定についての確率が増すことができ、起床時であると判定したときは、表示部３の画面の輝度をゆっくり立ち上げて漸増すると、起床時の点灯直後の眩しさを軽減できる。
【００４０】
（第３の実施例）
次に、表示装置の周囲照度を検出し、所定の輝度に到達するまでの時間の設定を変更させて表示部の明るさを漸増する場合を、第３の実施例に基づいて説明する。図６は第３の実施例の機能ブロック図である。図６は、図５に示した機能ブロック構成に、更に、周囲照度検出部１０を追加し備えたものである。図７は第３の実施例の表示装置の外観斜視図である。表示装置１ａには、図１に示した表示装置１に、更に周囲照度検出部１０を取りつけたものである。
【００４１】
周囲照度検出部１０は、筐体２の周囲の照度を検出する。例えば、フォトセンサ等の光電変換素子で構成されている。周囲照度検出部１０は、図７に示したように、筐体２の上部に設置されている。もとより、表示装置１ａの周囲の照度が検出できる位置であれば、表示装置１ａの観測者から見て筐体２の側面、前面、背面に取り付けてもよい。
【００４２】
周囲照度検出部１０が得た周囲照度の値に応じて、輝度制御部６は図３のグラフに示した時間ｔ２を変更し、変更された所定の輝度に到達するまでの時間によって表示部３の明るさを漸増する。
【００４３】
この構成によれば、例えば、冬の朝や曇りの朝、あるいは部屋のカーテンを閉め切った状態などの部屋が暗いときに起床する場合は、所定の輝度に到達するまでの時間の設定の値を増加させることによって、ゆっくりと表示部の輝度が立ち上がるので、使用者が眩しさを感じることなく快適な目覚めができる。一方、夏の朝や晴れの朝など、部屋が冬の朝や曇りの朝などに比べて明るい時に起床する場合は、所定の輝度に到達するまでの時間の設定の値を減少させることによって、早めに表示部の輝度が立ち上がるので、表示部の視認性を確保できる。
【００４４】
以上、説明したように、本発明による第１の実施例から第３の実施例によれば、使用者が起床時に感じる眩しさを軽減できる。以上、本発明の実施例を説明したが、本発明は、こうした実施例に何ら限定されるものではなく、本発明の趣旨を逸脱しない範囲において様々な形態で実施得ることは勿論である。
【００４５】
以下に変形例をあげて説明する。第１の変形例は、第１の実施例、第２の実施例及び第３の実施例の変形例であり、第２の変形例は、第２の実施例の変形例であり、第３の変形例は、第３の実施例の変形例である。
【００４６】
（第１の変形例）
上記実施例では、図３に示したように、表示部３の画面の輝度０から所定の輝度Ｌ１までを直線状に立ち上げているが、曲線状に立ち上げてもよい。
【００４７】
前述した人間の眼の明順応特性について、始めは過渡応答により大きな輝度の明るさとして知覚され、時間の経過とともに、知覚される輝度の明るさが減少し、その後、一定の輝度の明るさを知覚する順応状態になるという過渡応答は、ほぼ二次関数で近似されることが知られている。
【００４８】
そこで、人間の眼が知覚する輝度の明るさを、明順応特性における知覚される輝度の明るさとは逆の関係になるように、二次関数の曲線状に表示部３の輝度の明るさを増加させてもよい。こうすると、人間の眼の特性に近づけて明るさを増加させることができる。
【００４９】
例えば、経過時間をｔとし、輝度Ｌ（ｔ）を式（１）によって算出された輝度として漸増することとしてもよい。
【００５０】
式（１）
Ｌ（ｔ）＝Ｌｃ／（１＋Ｋ／ｔ2  ）      
Ｌ（ｔ）：輝度            Ｌｃ：周囲照度に応じて変化する輝度
Ｋ      ：定数              ｔ：経過時間
【００５１】
図４は、光源８が点灯を開始してからの経過時間と表示部３に表示する輝度の関係を示した上記の式（１）に基づく曲線状のグラフである。図４の曲線ｃは、所定の輝度Ｌ１に到達した時点が時間ｔ１であり、曲線ｄが所定の輝度Ｌ１に到達した時点が時間ｔ２である。そして、起床時は曲線ｄに基づいて表示部の画面の輝度を漸増し、覚醒時は曲線ｃに基づいて表示部の画面の輝度を漸増する。
【００５２】
（第２の変形例）
第２の実施例ではタイマオンした時点の実時刻によって起床時を判定したが、タイマオンするまでの経過時間によって起床時を判定する変形例を説明する。光源８が消灯した時点からタイマオンするまでの経過時間に基づいて、輝度制御部６が起床時と判定した場合は、起床時の所定の輝度に到達するまでの時間を時間ｔ２によって表示部の明るさを漸増することとしてもよい。
【００５３】
輝度制御部６は、タイマ部５の操作つまみを手動操作し、光源８の点灯予定時間を設定した時点の実時刻とタイマ部５がタイマオンした時点の実時刻を時刻取得部９から得て、経過時間を算出する。輝度制御部６は算出した経過時間が所定の経過時間を超えていれば、起床時と判定し、所定の輝度に到達するまでの時間の２つの設定のうち所定の輝度に到達するまでの時間が長い方の設定によって表示部の明るさを漸増する。輝度制御部６は算出した経過時間が所定の経過時間以内であれば、覚醒時と判定し、所定の輝度に到達するまでの時間の２つの設定のうち所定の輝度に到達するまでの時間が短い方の設定によって表示部の明るさを漸増する。
【００５４】
例えば、所定の経過時間を６時間とした場合に、経過時間が６時間を越えて、タイマ部５がタイマオンしたときは、輝度制御部６は起床時であると判定し、光源制御部７に輝度制御情報を出力する。光源制御部７は、光源８の明るさを制御し、図３または図４の起床時の所定の輝度に到達するまでの時間を時間ｔ２になるように表示部３の画面の輝度の明るさを漸増する。
【００５５】
こうすれば、光源８を点灯したときが、起床時であったか否かの判定についての確率が、更に増すので、起床時に表示部の画面の輝度の明るさの漸増を行うことで、起床時の眩しさを軽減できる。
【００５６】
（第３の変形例）
第３の実施例では周囲照度によって所定の輝度に到達するまでの時間の設定を変更したが、周囲照度の値の変化割合によって所定の輝度に到達するまでの時間の設定を変更する変形例を説明する。周囲照度検出部１０は、更に、周囲照度の値の変化割合を検出する機能を備え、図３または図４の覚醒時の所定の輝度に到達するまでの時間ｔ１または起床時の所定の輝度に到達するまでの時間ｔ２を変更し、変更された時間の設定によって表示部３の画面の輝度の明るさを漸増してもよい。
【００５７】
こうすれば、周囲の明るさの変化の早さに応じて所定の輝度に到達するまでの時間の設定の値を変えるので、例えば、起床時に、目覚めがよく、すぐに部屋の照明を点灯したときは、起床時の所定の輝度に到達するまでの時間ｔ２の値を減少させると、すぐに輝度をあげることになるので視認性をよくすることができる。あるいは、起床時に、天候の状態が急変し、急に部屋が暗くなったときに、起床時の所定の輝度に到達するまでの時間ｔ２の値を増加させると、表示部３の画面の輝度はゆっくりと上昇することになるので、点灯直後の眩しさを軽減できる。
【００５８】
また、覚醒時の所定の輝度に到達するまでの時間ｔ１の値を変更し、変更された時間ｔ１によって表示部３の明るさを漸増してもよい。例えば、覚醒時に、光源８を点灯後、すぐに部屋の照明を明るくしたり、部屋のカーテンを開けた場合に、時間ｔ１の値を減少させると、すぐに輝度を立ち上げることになり、視認性をよくすることができる。あるいは、覚醒時に、光源８を点灯後、すぐに部屋の照明を暗くしたり、部屋のカーテンを閉めた場合に、時間ｔ１の値を増加させると、ゆっくり輝度を立ち上げることになり、使用者が感じる眩しさを軽減できる。
【００５９】
その他の変形例として、上記の実施例もしくは変形例における本発明の表示装置の表示部は、例えば、筐体２の開口部に取り付けた表示部３を透過型スクリーンパネルで構成し、筐体２の内部に設置した表示体の透過光や反射光をスクリーンに投影するいわゆるリアプロジェクタにより、表示部３に画像を投影する場合も適用できる。更に、表示装置に表示部を設けずに、壁またはスタンドにかけたスクリーンを表示部として、画像を投影するプロジェクタによる場合も本発明は適用できる。
【００６０】
あるいは、本実施例は、表示部３と光源８を別体としたが、表示部３が自発光する機能を一体として備えており、表示部３が照明手段として機能する場合、例えば、プラズマディスプレイ、有機発光ダイオード、電界放出ディスプレイで表示部３が構成されている場合も、本発明は適用できる。
【図面の簡単な説明】
【００６１】
【図１】本発明の第１の実施例・第２の実施例における表示装置の外観斜視図。
【図２】本発明の第１の実施例における表示装置の機能ブロック図。
【図３】本発明の第１の実施例・第２の実施例・第３の実施例における経過時間と輝度の関係を示すグラフ。
【図４】本発明の第１の変形例における経過時間と輝度の関係を示すグラフ。
【図５】本発明の第２の実施例における表示装置の機能ブロック図。
【図６】本発明の第３の実施例における表示装置の機能ブロック図。
【図７】本発明の第３の実施例における表示装置の外観斜視図。
【符号の説明】
【００６２】
１…表示装置、１ａ…表示装置、２…筐体、３…表示部、４…スイッチ、５…タイマ部、５ａ…操作つまみ、６…輝度制御部、７…光源制御部、８…光源、９…時刻取得部、１０…周囲照度検出部。
【図１】
2007225650.tif 000003
【図２】
2007225650.tif 000004
【図３】
2007225650.tif 000005
【図４】
2007225650.tif 000006
【図５】
2007225650.tif 000007
【図６】
2007225650.tif 000008
【図７】
2007225650.tif 000009